【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
手持ち式ＥＤＭデバイスであって、
基部と、
該基部の遠位端で該基部に取り付けられるフードであって、工作物に提供される場合に、作業空間を取り囲むように構成されるフードと、
該作業空間内に配置され、軸に沿って該基部に対して移動可能な遠位端を有する侵食電極と、
該作業空間内に配置され、該軸に沿って該基部に対して移動可能な遠位端を有する接地電極であって、該接地電極は、該工作物の少なくとも一部に接触するように構成される、接地電極と、
該侵食電極と該工作物との間に誘電性流体を送達するように構成される誘電体入口と、
該誘電性流体を排出するように構成される誘電体出口と
を組み合わせて備え、
該手持ち式ＥＤＭデバイスは、使用者によって保持され、工作物に提供されるように構成される、手持ち式ＥＤＭデバイス。
【請求項２】
前記工作物は、ファスナである、請求項１に記載の手持ち式ＥＤＭデバイス。
【請求項３】
前記工作物は、ファスナカラーである、請求項１に記載の手持ち式ＥＤＭデバイス。
【請求項４】
前記侵食電極は、対応する環形状を侵食するように構成される中空管状構造である、請求項１に記載の手持ち式ＥＤＭデバイス。
【請求項５】
前記接地電極は、前記侵食電極の前記中空管状構造の中心軸に沿って整合される、請求項４に記載の手持ち式ＥＤＭデバイス。
【請求項６】
前記接地電極は、該接地電極が前記軸に沿って移動するにつれて、該軸の周囲を回転するように構成される、請求項５に記載の手持ち式ＥＤＭデバイス。
【請求項７】
前記誘電体入口の少なくとも一部は、前記侵食電極の前記中空管状構造内に配置される、請求項４に記載の手持ち式ＥＤＭデバイス。
【請求項８】
前記侵食電極は、前記軸の周囲を回転するように構成される、少なくとも２つの電極をさらに備える、請求項１に記載の手持ち式ＥＤＭデバイス。
【請求項９】
前記接地電極と前記工作物との間の接触を検出するように構成される、電気接点センサをさらに備える、請求項１に記載の手持ち式ＥＤＭデバイス。
【請求項１０】
前記接地電極は、前記工作物に接触する場合に、バネを圧縮するように構成され、該バネは、前記フードが該工作物に提供される場合に、該接地電極と該工作物との間の接触を維持する、請求項９に記載の手持ち式ＥＤＭデバイス。
【請求項１１】
前記侵食電極を制御可能に前進および後退させるように構成される、モータをさらに備える、請求項１に記載の手持ち式ＥＤＭデバイス。
【請求項１２】
前記基部に取り付けられるハンドルをさらに備える、請求項１に記載の手持ち式ＥＤＭデバイス。
【請求項１３】
前記作業空間と流体連通し、弁ブロック内に摺動可能に配置される接地管と、
弁圧縮バネにより、該弁ブロックに対して選択的に保持される弁球と
をさらに備え、
前記接地電極は、該弁圧縮バネを圧縮し、該弁ブロックから該弁球を移動させ、該接地電極が前記工作物に対して配置される場合に、該作業空間への誘電性流体の流動を導入するように構成される、請求項１に記載の手持ち式ＥＤＭデバイス。
【請求項１４】
ＥＤＭファスナ除去デバイスであって、
基部の遠位端で該基部に固定可能に取り付けられるフードであって、該フードとフレームとの間の作業空間を取り囲むように構成され、ファスナの少なくとも一部は該作業空間内にある、フードと、
中空管形状を有し、かつ該作業空間内に配置され、該ファスナに対して移動可能な遠位端を有する侵食電極と、
該作業空間内に配置される遠位端を有し、工作物の少なくとも一部に接触するように構成される接地電極と、
該侵食電極と該工作物との間に誘電性流体を送達するように構成される誘電体入口と、
を組み合わせて備え、
該侵食電極の該中空管形状は、該フレームを侵食することなく、該ファスナの少なくとも一部を侵食するように構成される、ＥＤＭファスナ除去デバイス。
【請求項１５】
前記侵食電極は、ファスナフランジとファスナシャンクとの間の界面を侵食するように構成される、請求項１４に記載のＥＤＭファスナ除去デバイス。
【請求項１６】
前記侵食電極の前記中空管形状は、ほぼファスナフランジとファスナシャンクとの間の前記界面の直径の外径を有する、請求項１５に記載のＥＤＭファスナ除去デバイス。
【請求項１７】
前記侵食電極は、ファスナシャンクとファスナカラーとの間の界面を侵食するように構成される、請求項１４に記載のＥＤＭファスナ除去デバイス。
【請求項１８】
前記侵食電極の前記中空管形状は、ほぼ前記ファスナシャンクの前記外径未満の外径を有する、請求項１７に記載のＥＤＭファスナ除去デバイス。
【請求項１９】
フレームからファスナを除去するための方法であって、
フードと、接地電極と、侵食電極とを有する手持ち式ＥＤＭデバイスを提供するステップと、
該フレームに該フードを提供するステップであって、それにより、作業空間が、該フードと該フレームとの間で取り囲まれ、該ファスナの少なくとも一部は該作業空間内にある、ステップと、
該ファスナを該接地電極と接触させるステップと、
該侵食電極と該ファスナとの間に誘電体を送達するステップと、
該ファスナの付近で該侵食電極を前進させるステップと、
絶縁破壊が該侵食電極と該ファスナとの間の該誘電性流体中で生じるまで、該侵食電極中に電荷を生成するステップであって、それにより、該ファスナの一部は、該誘電性流体の中へ侵食される、ステップと、
該ファスナの侵食部分を含む該誘電体を除去するステップと
を組み合わせて含む、方法。
【請求項２０】
前記誘電体はまた、冷却剤でもある、請求項１９に記載の方法。
【請求項２１】
前記侵食電極は、対応する環形状を侵食するように構成される中空管状構造である、請求項１９に記載の方法。
【請求項２２】
前記方法は、ファスナフランジとファスナシャンクとの間の界面間で侵食をもたらして、該ファスナシャンクからの該ファスナフランジの除去を促進する、請求項１９に記載の方法。
【請求項２３】
前記方法は、ファスナシャンクとファスナカラーとの間の界面間で侵食をもたらして、該ファスナカラーからの該ファスナシャンクの除去を促進する、請求項１９に記載の方法。
【請求項２４】
後続のドリル作業のために、パイロット穴が前記ファスナに提供される、請求項１９に記載の方法。
【請求項２５】
前記侵食電極は、幾何学的な形状をしている、請求項１９に記載の方法。
【請求項２６】
前記侵食電極は、断面で見たときに、正方形の形状をしている、請求項２５に記載の方法。
【請求項２７】
前記侵食電極は、断面で見たときに、三角形の形状をしている、請求項２５に記載の方法。
【請求項２８】
前記侵食電極は、材料および複数の材料からなる群から選択されたものを侵食するように構成されている、請求項１９に記載の方法。
【請求項２９】
前記ファスナは、ネジ式である、請求項１９に記載の方法。
【手続補正２】
【補正対象書類名】明細書
【補正対象項目名】００１６
【補正方法】変更
【補正の内容】
【００１６】
いくつかの例示的な実装に従って、フードと、接地電極と、侵食電極とを有する、手持ち式ＥＤＭデバイスを提供するステップと、フレームにフードを提供するステップであって、それにより、作業空間は、フードと作業空間内にファスナの少なくとも一部を有するフレームとの間で取り囲まれる、ステップと、ファスナを接地電極と接触させるステップと、侵食電極とファスナと間に誘電体を送達するステップと、ファスナの付近で侵食電極を前進させるステップと、絶縁破壊が侵食電極とファスナとの間の誘電性流体中で生じるまで、侵食電極中で電荷を生成するステップであって、それにより、ファスナの一部は、誘電性流体の中へ侵食される、ステップと、ファスナの侵食部分を含む誘電体を除去するステップとを組み合わせて含む、フレームからファスナを除去するための方法が開示される。
本発明は、例えば、以下を提供する。
（項目１）
手持ち式ＥＤＭデバイスであって、
基部と、
該基部の遠位端で該基部に取り付けられるフードであって、工作物に提供される場合に、作業空間を取り囲むように構成されるフードと、
該作業空間内に配置され、軸に沿って該基部に対して移動可能な遠位端を有する侵食電極と、
該作業空間内に配置され、該軸に沿って該基部に対して移動可能な遠位端を有する接地電極であって、該接地電極は、該工作物の少なくとも一部に接触するように構成される、接地電極と、
該侵食電極と該工作物との間に誘電性流体を送達するように構成される誘電体入口と、
該誘電性流体を排出するように構成される誘電体出口と
を組み合わせて備え、該手持ち式ＥＤＭデバイスは、使用者によって保持され、工作物に提供されるように構成される、手持ち式ＥＤＭデバイス。
（項目２）
上記工作物は、ファスナである、項目１に記載の手持ち式ＥＤＭデバイス。
（項目３）
上記工作物は、ファスナカラーである、項目１に記載の手持ち式ＥＤＭデバイス。
（項目４）
上記侵食電極は、対応する環形状を侵食するように構成される中空管状構造である、項目１に記載の手持ち式ＥＤＭデバイス。
（項目５）
上記接地電極は、上記侵食電極の上記中空管状構造の中心軸に沿って整合される、項目４に記載の手持ち式ＥＤＭデバイス。
（項目６）
上記接地電極は、該接地電極が上記軸に沿って移動するにつれて、該軸の周囲を回転するように構成される、項目５に記載の手持ち式ＥＤＭデバイス。
（項目７）
上記誘電体入口の少なくとも一部は、上記侵食電極の上記中空管状構造内に配置される、項目４に記載の手持ち式ＥＤＭデバイス。
（項目８）
上記侵食電極は、上記軸の周囲を回転するように構成される、少なくとも２つの電極をさらに備える、項目１に記載の手持ち式ＥＤＭデバイス。
（項目９）
上記接地電極と上記工作物との間の接触を検出するように構成される、電気接点センサをさらに備える、項目１に記載の手持ち式ＥＤＭデバイス。
（項目１０）
上記接地電極は、上記工作物に接触する場合に、バネを圧縮するように構成され、該バネは、上記フードが該工作物に提供される場合に、該接地電極と該工作物との間の接触を維持する、項目９に記載の手持ち式ＥＤＭデバイス。
（項目１１）
上記侵食電極を制御可能に前進および後退させるように構成される、モータをさらに備える、項目１に記載の手持ち式ＥＤＭデバイス。
（項目１２）
上記基部に取り付けられるハンドルをさらに備える、項目１に記載の手持ち式ＥＤＭデバイス。
（項目１３）
上記作業空間と流体連通し、弁ブロック内に摺動可能に配置される接地管と、
弁圧縮バネにより、該弁ブロックに対して選択的に保持される弁球と
をさらに備え、
上記接地電極は、該弁圧縮バネを圧縮し、該弁ブロックから該弁球を移動させ、該接地電極が上記工作物に対して配置される場合に、該作業空間への誘電性流体の流動を導入するように構成される、項目１に記載の手持ち式ＥＤＭデバイス。
（項目１４）
ＥＤＭファスナ除去デバイスであって、
基部の遠位端で該基部に固定可能に取り付けられるフードであって、該フードとフレームとの間の作業空間を取り囲むように構成され、該ファスナの少なくとも一部は該作業空間内にある、フードと、
中空管形状を有し、かつ該作業空間内に配置され、該ファスナに対して移動可能な遠位端を有する侵食電極と、
該作業空間内に配置される遠位端を有し、該工作物の少なくとも一部に接触するように構成される接地電極と、
該侵食電極と該工作物との間に誘電性流体を送達するように構成される誘電体入口と、
を組み合わせて備え、
該侵食電極の該中空管形状は、該フレームを侵食することなく、該ファスナの少なくとも一部を侵食するように構成される、ＥＤＭファスナ除去デバイス。
（項目１５）
上記侵食電極は、ファスナフランジとファスナシャンクとの間の界面を侵食するように構成される、項目１４に記載のＥＤＭファスナ除去デバイス。
（項目１６）
上記侵食電極の上記中空管形状は、ほぼファスナフランジとファスナシャンクとの間の上記界面の直径の外径を有する、項目１５に記載のＥＤＭファスナ除去デバイス。
（項目１７）
上記侵食電極は、ファスナシャンクとファスナカラーとの間の界面を侵食するように構成される、項目１４に記載のＥＤＭファスナ除去デバイス。
（項目１８）
上記侵食電極の上記中空管形状は、ほぼ上記ファスナシャンクの上記外径未満の外径を有する、項目１７に記載のＥＤＭファスナ除去デバイス。
（項目１９）
フレームからファスナを除去するための方法であって、
フードと、接地電極と、侵食電極とを有する手持ち式ＥＤＭデバイスを提供するステップと、
該フレームに該フードを提供するステップであって、それにより、作業空間が、該フードと該フレームとの間で取り囲まれ、該ファスナの少なくとも一部は該作業空間内にある、ステップと、
該ファスナを該接地電極と接触させるステップと、
該侵食電極と該ファスナと間に誘電体を送達するステップと、
該ファスナの付近で該侵食電極を前進させるステップと、
絶縁破壊が該侵食電極と該ファスナとの間の該誘電性流体中で生じるまで、該侵食電極中に電荷を生成するステップであって、それにより、該ファスナの一部は、該誘電性流体の中へ侵食される、ステップと、
該ファスナの侵食部分を含む該誘電体を除去するステップと
を組み合わせて含む、方法。
（項目２０）
上記誘電体はまた、冷却剤でもある、項目１９に記載の方法。
（項目２１）
上記侵食電極は、対応する環形状を侵食するように構成される中空管状構造である、項目１９に記載の方法。
（項目２２）
上記方法は、ファスナフランジとファスナシャンクとの間の界面間で侵食をもたらして、該ファスナシャンクからの該ファスナフランジの除去を促進する、項目１９に記載の方法。
（項目２３）
上記方法は、ファスナシャンクとファスナカラーとの間の界面間で侵食をもたらして、該ファスナカラーからの該ファスナシャンクの除去を促進する、項目１９に記載の方法。
（項目２４）
後続のドリル作業のために、パイロット穴が上記ファスナに提供される、項目１９に記載の方法。